(57)【要約】      （修正有）【課題】潜水運動と水中ゲームを融合させた沈水玩具の提供。【解決手段】嵌合部２０と支持部２２を具えたフロート２と、該嵌合部に組み合わされて一体とされたウエイト３、及び該嵌合部とウエイトの間に設置された第１嵌合体４及び第２嵌合体５を具え、組合せ後のフロートとウエイトが水底に沈められ、並びに支持部でフロートが水底と所定距離を保持し、泳者が水中に潜入してウエイト３を押圧することで、第１、２嵌合体を係合状態より離脱させ、ウエイトを水底に沈め、並びにフロート２を水面に浮き上がらせることができ、運動目的を達成するのみならず、ゲームの面白さを高める効果を達成する。【選択図】図１
0003109157.tif 000002
【実用新案登録請求の範囲】
【請求項１】
潜水運動と水中ゲームを融合させた沈水玩具であり、
嵌合部と支持部を具え、該嵌合部に接続口が設けられ、該支持部に該嵌合部を支持可能な少なくとも一つの足が設けられた、フロートと、
該嵌合部の該接続口内に組み合わされた、ウエイトと、
該嵌合部と該ウエイトの間に設置されて相互に係合する第１、第２嵌合体と、
を具え、組合せ後のフロートとウエイトが水中に沈められ、並びに支持部によりフロートが水底と所定距離を保持し、泳者が水中に潜入し該ウエイトを押圧して第１、第２嵌合体の係合状態を解除することで、ウエイトを水底に落とし、並びにフロートを水面に浮き上がらせることができることを特徴とする、沈水玩具。
【請求項２】
請求項１記載の沈水玩具において、嵌合部が第１挟持壁、第２挟持壁、第３挟持壁で包囲してなる接続口を具えたことを特徴とする、沈水玩具。
【請求項３】
請求項２記載の沈水玩具において、嵌合部の第１挟持壁、第２挟持壁、第３挟持壁に沿って該第１挟持壁、第２挟持壁、第３挟持壁とギャップを保持するようにバッファ部が形成され、該バッファ部が第１外壁、第２外壁、第３外壁を具えたことを特徴とする、沈水玩具。
【請求項４】
請求項３記載の沈水玩具において、接続口が、円形、三角形、四角形、五角形のような対称な幾何形状とされたことを特徴とする、沈水玩具。
【請求項５】
請求項４記載の沈水玩具において、支持部の足が等距離に三つ設置されたことを特徴とする、沈水玩具。
【請求項６】
請求項５記載の沈水玩具において、支持部の足がバッファ部の第１、２、３外壁に設置され、且つ対称長さを以て第１、２、３外壁の上端と下端より突出し、その突出の高さがウエイトを完全に第１、第２嵌合体との係合より離脱させてフロートを水面に浮き上がらせることができるものとされたことを特徴とする、沈水玩具。
【請求項７】
請求項６記載の沈水玩具において、第１嵌合体が嵌合部の第１、２、３挟持壁に設けられ、並びに支持部の各足に対応する位置に設けられたことを特徴とする、沈水玩具。
【請求項８】
請求項７記載の沈水玩具において、第１嵌合体が上方と下方に案内面を具えた方形凸体とされたことを特徴とする、沈水玩具。
【請求項９】
請求項４記載の沈水玩具において、ウエイトが接続口に対応する形状とされて、対称な偏平円柱形、偏平三角柱形、偏平四角柱形、偏平五角柱形のような対称な幾何形状とされたことを特徴とする、沈水玩具。
【請求項１０】
請求項８記載の沈水玩具において、第２嵌合体がウエイトの周囲に形成された凹溝とされ、該凹溝の両側が斜面とされて、第１嵌合体の凸体と組合せ時の嵌合と離脱に便利とされたことを特徴とする、沈水玩具。
【請求項１１】
請求項１０記載の沈水玩具において、フロートに、支持部の足とバッファ部の第１、２、３外壁を接続し一体とする外リングが設けられたことを特徴とする、沈水玩具。
【請求項１２】
請求項１記載の沈水玩具において、ウエイトに実心の硬質プラスチック材が採用されるか、中空の硬質プラスチック材の内部に比重が水より大きい物体を充填したものが採用されることを特徴とする、沈水玩具。
【請求項１３】
請求項１記載の沈水玩具において、フロートが浮力を具えたプラスチックで形成されるか或いはフロートにスポンジ等の浮材が接合されるか、或いはフロートが気嚢を具備するものとされたことを特徴とする、沈水玩具。
【請求項１４】
請求項１記載の沈水玩具において、接続口が手部の面積に相当するサイズとされたことを特徴とする、沈水玩具。
【考案の詳細な説明】
【技術分野】
【０００１】
本考案は一種の沈水玩具に係り、更に詳しくは、水底に沈められて泳者が水中で特定の部分を押圧した後に、一部を水面に浮き上がらせることができ、潜水運動とゲームを一体に融合させた沈水玩具に関する。
【背景技術】
【０００２】
潜水運動は肺活量を鍛練できるほか、夏の水中運動は最良の選択の一つであり、大部分の青少年にとって、水中運動にゲームを加えれば夏の暑さを凌ぐのに最適の娯楽となる。
【０００３】
青少年が銅貨を水中に投げ入れ、誰が先に水上に持ち帰るかというゲームはよく見られ、水中での謎当てゲームと共に、潜水運動を融合した水中ゲームであり、且つ相当にゲームの刺激性を具備する。
【０００４】
更に現在、団体性の水上活動が潜水運動と謎当てゲームに結合され、異なるグループの成員が一対一の方式で、問題を聞き取った後に、更に水底に潜入して水底に予め置かれた答案を水上に持ち帰り、水中での謎当てゲームが行なわれており、このような活動はゲーム性が十分で、潜水運動と結合されているため、活動が運動とゲーム性を兼ね備えた効果を具備する。
【考案の開示】
【考案が解決しようとする課題】
【０００５】
本考案の主要な目的は、潜水運動と水中ゲームの特性を融合し、且つ、アクティブで面白さを増した沈水玩具を提供することにあり、それは、フロートとウエイトを分離可能に係合させた設計により、水底に沈めることができ、並びに係合解除時にフロートを分離させて水面に浮き上がらせることができ、これによりゲーム参加者が水底に潜入し、フロートとウエイトの分離操作を行うことができ、面白さと運動の効果を高めることができるものとする。
【０００６】
上述の目的を達成するため、本考案の沈水玩具は、嵌合部と支持部を具えたフロート、及び該嵌合部に組み合わされて一体とされたウエイト、及び該嵌合部とウエイトの間に設置された第１嵌合体及び第２嵌合体を具え、組合せ後のフロートとウエイトが水底に沈められ、並びに支持部でフロートが水底と所定距離を保持し、泳者が水中に潜入して該ウエイトを押圧することで、第１、２嵌合体を係合状態より離脱させ、ウエイトを水底に沈め、並びにフロートを水面に浮き上がらせることができ、運動目的を達成するのみならず、ゲームの面白さを高める効果を達成する。
【課題を解決するための手段】
【０００７】
請求項１の考案は、潜水運動と水中ゲームを融合させた沈水玩具であり、
嵌合部と支持部を具え、該嵌合部に接続口が設けられ、該支持部に該嵌合部を支持可能な少なくとも一つの足が設けられた、フロートと、
該嵌合部の該接続口内に組み合わされた、ウエイトと、
該嵌合部と該ウエイトの間に設置されて相互に係合する第１、第２嵌合体と、
を具え、組合せ後のフロートとウエイトが水中に沈められ、並びに支持部によりフロートが水底と所定距離を保持し、泳者が水中に潜入し該ウエイトを押圧して第１、第２嵌合体の係合状態を解除することで、ウエイトを水底に落とし、並びにフロートを水面に浮き上がらせることができることを特徴とする、沈水玩具としている。
請求項２の考案は、請求項１記載の沈水玩具において、嵌合部が第１挟持壁、第２挟持壁、第３挟持壁で包囲してなる接続口を具えたことを特徴とする、沈水玩具としている。
請求項３の考案は、請求項２記載の沈水玩具において、嵌合部の第１挟持壁、第２挟持壁、第３挟持壁に沿って該第１挟持壁、第２挟持壁、第３挟持壁とギャップを保持するようにバッファ部が形成され、該バッファ部が第１外壁、第２外壁、第３外壁を具えたことを特徴とする、沈水玩具としている。
請求項４の考案は、請求項３記載の沈水玩具において、接続口が、円形、三角形、四角形、五角形のような対称な幾何形状とされたことを特徴とする、沈水玩具としている。
請求項５の考案は、請求項４記載の沈水玩具において、支持部の足が等距離に三つ設置されたことを特徴とする、沈水玩具としている。
請求項６の考案は、請求項５記載の沈水玩具において、支持部の足がバッファ部の第１、２、３外壁に設置され、且つ対称長さを以て第１、２、３外壁の上端と下端より突出し、その突出の高さがウエイトを完全に第１、第２嵌合体との係合より離脱させてフロートを水面に浮き上がらせることができるものとされたことを特徴とする、沈水玩具としている。
請求項７の考案は、請求項６記載の沈水玩具において、第１嵌合体が嵌合部の第１、２、３挟持壁に設けられ、並びに支持部の各足に対応する位置に設けられたことを特徴とする、沈水玩具としている。
請求項８の考案は、請求項７記載の沈水玩具において、第１嵌合体が上方と下方に案内面を具えた方形凸体とされたことを特徴とする、沈水玩具としている。
請求項９の考案は、請求項４記載の沈水玩具において、ウエイトが接続口に対応する形状とされて、対称な偏平円柱形、偏平三角柱形、偏平四角柱形、偏平五角柱形のような対称な幾何形状とされたことを特徴とする、沈水玩具としている。
請求項１０の考案は、請求項８記載の沈水玩具において、第２嵌合体がウエイトの周囲に形成された凹溝とされ、該凹溝の両側が斜面とされて、第１嵌合体の凸体と組合せ時の嵌合と離脱に便利とされたことを特徴とする、沈水玩具としている。
請求項１１の考案は、請求項１０記載の沈水玩具において、フロートに、支持部の足とバッファ部の第１、２、３外壁を接続し一体とする外リングが設けられたことを特徴とする、沈水玩具としている。
請求項１２の考案は、請求項１記載の沈水玩具において、ウエイトに実心の硬質プラスチック材が採用されるか、中空の硬質プラスチック材の内部に比重が水より大きい物体を充填したものが採用されることを特徴とする、沈水玩具としている。
請求項１３の考案は、請求項１記載の沈水玩具において、フロートが浮力を具えたプラスチックで形成されるか或いはフロートにスポンジ等の浮材が接合されるか、或いはフロートが気嚢を具備するものとされたことを特徴とする、沈水玩具としている。請求項１記載の沈水玩具において、接続口が手部の面積に相当するサイズとされたことを特徴とする、沈水玩具としている。
【考案の効果】
【０００８】
本考案の沈水玩具は、潜水運動と水中ゲームの特性を融合し、且つ、アクティブで面白さを増した沈水玩具を提供することにあり、それは、フロートとウエイトを分離可能に係合させた設計により、水底に沈めることができ、並びに係合解除時にフロートを分離させて水面に浮き上がらせることができ、これによりゲーム参加者が水底に潜入し、フロートとウエイトの分離操作を行うことができ、面白さと運動の効果を高めることができる。
【考案を実施するための最良の形態】
【０００９】
図１に示されるように、本考案の沈水玩具１は、フロート２、ウエイト３、及び、第１、第２嵌合体４、５を具え、そのうち、該フロート２は、浮力を具えたプラスチック（実施上はスポンジ等の浮材を接着するか或いは気嚢を具備させてもよい）とされ、それは嵌合部２０、バッファ部２１及び支持部２２を具えている。そのうち、嵌合部２０は第１挟持壁２０１、第２挟持壁２０２及び第３挟持壁２０３を具え、これら三つの挟持壁の包囲により接続口２４が形成され、その面積は手部の大きさに相当し、比較的大きな面積を提供し、ウエイト３との組み合わせに用いられ、該接続口２４は任意の対称の幾何形状とされ、本実施例では円形とされている。
【００１０】
該バッファ部２１は、第１外壁２１１、第２外壁２１２、第３外壁２１３を具え、これら外壁は嵌合部２０の第１、２、３挟持壁２０１、２０２、２０３に沿って、ギャップＴを保持するように設置され、第１挟持壁２０１、第２挟持壁２０２、第３挟持壁２０３に組合せ時に外向きに拡張する適宜弾性を具備させる。
【００１１】
該支持部２２は三つの足２２１、２２２、２２３を具え、これらの足はバッファ部の第１、２、３外壁２１１、２１２、２１３に配置され、且つそれぞれ対称な長さを以て第１、２、３外壁２１１、２１２、２１３の上端及び下端より突出し、フロート２が水中に沈められる時に、正面と背面のいずれもが水底と所定高さを保持できるものとされる。且つこの三つの足２２１、２２２、２２３の突出する高さは少なくともウエイト３が完全に第１、第２嵌合体４、５の係合（後述する）より離脱させられるように設けられ、これによりフロート２が水面に浮上できる。また、外リング２３が足２２１、２２２、２２３及び第１、２、３外壁２１１、２１２、２１３を接続して一体としている。
【００１２】
該ウエイト３は、偏平円柱形（接続口が三角形であれば偏平三角柱形とされる）とされ、実心の硬質プラスチック材とされるか、或いは中空硬質プラスチック材とされて内部に比重が水より大きい物体が充填されたものとされ、前述の嵌合部２０の接続口２４内に組み合わされる。
【００１３】
該第１、第２嵌合体４、５は、図３から図５に示されるように、該嵌合部２０とウエイト３の間に設置されて、相互に係合され、そのうち、第１嵌合体４は嵌合部の第１、２、３挟持壁２０１、２０２、２０３に設けられ、並びに支持部２３の各足２２１、２２２、２２３に対応し、方形凸体とされ、その上方と下方に案内面が設けられ、第２嵌合体５との嵌合に供される。注意すべきことは、該第１嵌合体４は各足２２１、２２２、２２３に対応する位置に設置され、ウエイト３が加圧される時、各足２２１、２２２、２２３が水底に支持されて反作用力を形成して上向きに隆起し、第１嵌合体４を下向きに第２嵌合体５と順調に離脱させることができることである。第２嵌合体５はウエイト３周囲に設けられた凹溝とされ、且つ該凹溝の両側は斜面とされ、第１嵌合体４ｆの凸体と組み合わされる時、順調に嵌合及び離脱する。
【００１４】
図１及び図５を参照されたい。本考案を組み合わせる時は、直接ウエイト３をフロート２の接続口２４内に組合せ、並びに第１、第２嵌合体４、５の相互嵌合により、ウエイト３とフロート２を一体に結合させる。こうして、組合せ後のフロート２とウエイト３は水底に沈められ、並びに支持部２３によりフロート２が水底と一定の距離を保持する。
【００１５】
水中ゲームを行う時は、上述の組合せ後の沈水玩具１を水中に投入し、それを水底に沈める。本考案の支持部２３の足２２１、２２２、２２３は対称長さを以て第１、２、３外壁２１１、２１２、２１３の上端及び下端より突出し、これにより本考案の沈水玩具１が水底に沈められる時、正面と背面のいずれもが水底と所定の高さを保持する。こうして、ゲーム参加者はスタート地点より水中に潜入開始し、沈水玩具１を探し出し並びにウエイト３を押圧して第１、第２嵌合体４、５に係合状態を解除させてフロート２を水面に浮き上がらせ（図６）たものが優勝する。これにより、本考案はゲーム効果を達成するのみならず、ゲームの面白さを増し、且つ潜水運動の目的を達成することができる。
【００１６】
以上の実施例は本考案の実施範囲を限定するものではなく、以上の説明及び図面の記載に基づきなしうる細部の修飾或いは改変は、いずれも本考案の請求範囲に属するものとする。
【図面の簡単な説明】
【００１７】
【図１】本考案の沈水玩具の立体分解図である。
【図２】図１の組合せ立体図である。
【図３】図２の平面図である。
【図４】図３の４−４断面図である。
【図５】図３の５−５断面図である。
【図６】本考案のフロートとウエイト分離後に、フロートが水面に浮き上がる状態表示図である。
【符号の説明】
【００１８】
１  沈水玩具            ２  フロート
３  ウエイト            ４  第１嵌合体
５  第２嵌合体          ２０  嵌合部
２１  バッファ部        ２２  支持部
２４  接続口            ２０１  第１挟持壁
２０２  第２挟持壁      ２０３  第３挟持壁
２１１  第１外壁        ２１２  第２外壁
２１３  第３外壁
【図１】
0003109157.tif 000003
【図２】
0003109157.tif 000004
【図３】
0003109157.tif 000005
【図４】
0003109157.tif 000006
【図５】
0003109157.tif 000007
【図６】
0003109157.tif 000008